(57)【要約】      （修正有）【課題】圧電セラミックスピーカーヘッドホン構造を提供する。【解決手段】定位枠１、スチール片２、振動部品を備え、定位枠１の後方内縁にはステップ部を設置し、スチール片２は定位枠１の面積にほぼ等しく、複数層のセラミック材料を重ねて形成する発声部品２１を設置し、発声部品２１には導線を溶接し、振動部品は板体で、定位枠１のステップ部の面積にほぼ等しく、スチール片２を定位枠１の前縁に設置し、振動部品を定位枠１のステップ部に嵌めて設置し、発声モジュールＡを構成し、ヘッドホン１００に組み立て、発声部品２１により音声信号を受信し、振動部品が共鳴して音声を導出し、ヘッドホン１００は磁性がないため、ｉ−ｐａｄ（登録商標）、ｉ−ｐｈｏｎｅ（登録商標）、或いは携帯電話、ノートブック型コンピューターなどの製品に影響を及ぼすことがなく、しかもボイスコイルがないため、薄型化でき、携帯に有利である。【選択図】図３
0003166424.tif 000002
【実用新案登録請求の範囲】
【請求項１】
定位枠、スチール片、振動部品を備え、
前記スチール片は、前記定位枠の面積とほぼ等しく、前記定位枠の前縁に設置し、複数層のセラミック材料を重ねて形成する発声部品を設置し、
前記振動部品は、板体で、前記定位枠の後縁に嵌めて設置し、
上記した構成部材により、発声モジュールを構成し、ヘッドホンに組み立て、前記スチール片の発声部品により、音声信号を受信し、前記振動部品が共鳴して音声を導出し、
こうして、磁性がないヘッドホンを構成し、ヘッドホンは磁性がないため、電子製品に影響を及ぼすことがなく、しかもボイスコイルがないため、薄型化でき、携帯に有利であることを特徴とする圧電セラミックスピーカーヘッドホン構造。
【請求項２】
前記定位枠の後縁には、ステップ部を設置し、これにより前記振動部品を嵌めて固定することを特徴とする請求項１に記載の圧電セラミックスピーカーヘッドホン構造。
【請求項３】
前記定位枠は、紙プレフォームであることを特徴とする請求項１に記載の圧電セラミックスピーカーヘッドホン構造。
【請求項４】
前記定位枠は、布であることを特徴とする請求項１に記載の圧電セラミックスピーカーヘッドホン構造。
【請求項５】
前記定位枠は、木片であることを特徴とする請求項１に記載の圧電セラミックスピーカーヘッドホン構造。
【請求項６】
前記定位枠は、スポンジであることを特徴とする請求項１に記載の圧電セラミックスピーカーヘッドホン構造。
【請求項７】
前記定位枠は、ＰＥＴ(ポリエチレンテレフタレート)、ＰＥＮ(ポリエーテルニトリル)、ＰＥＩ(ポリエーテルイミド)であることを特徴とする請求項１に記載の圧電セラミックスピーカーヘッドホン構造。
【考案の詳細な説明】
【技術分野】
【０００１】
本考案は圧電セラミックスピーカーヘッドホン構造に関し、特に磁性がないため、電子製品に影響を及ぼさず、しかもボイスコイルがないため薄型化でき携帯に便利な圧電セラミックスピーカーヘッドホン構造に関する。
【背景技術】
【０００２】
テクノロジーの進歩に従い、ｉ−ｐａｄ(登録商標)、ｉ−ｐｈｏｎｅ(登録商標)、或いは携帯電話、ノートブック型コンピューターなど３Ｃ製品の使用は、日増しに普及し、これに対応して、前記製品に合わせて使用するヘッドホンの品質に対する要求も高まっている。従来のヘッドホンは、磁石とボイスコイルにより構成するため、磁性が存在する。しかし、その磁性は、電子製品に対して影響を及ぼし、しかもボイスコイルのコイルを厚みのために、現段階ではヘッドホンのこれ以上の小型化は困難である。当然、それをより薄く軽くすることなどできず、そのためヘッドホンの体積を、携帯に便利なよう、より縮小することができずにいる。さらに、ヘッドホンを薄型化したとしても、高、中、低音をそれぞれリアルに再現しなければならないため、薄型化したことで各音域をカバーしきれなくなるのでは、業界も消費者も望むものではない。本考案は、従来のヘッドホン構造の上記した欠点に鑑みてなされたものである。
【考案の概要】
【考案が解決しようとする課題】
【０００３】
本考案が解決しようとする課題は、磁性がないため、電子製品に影響を及ぼさず、しかもボイスコイルがないため薄型化でき、携帯に便利な圧電セラミックスピーカーヘッドホン構造を提供することである。
【課題を解決するための手段】
【０００４】
上記課題を解決するため、本考案は下記の圧電セラミックスピーカーヘッドホン構造を提供する。
圧電セラミックスピーカーヘッドホン構造は、定位枠、スチール片、振動部品を備え、
該定位枠の後方内縁にはステップ部を設置し、
該スチール片は該定位枠の面積にほぼ等しく、複数層のセラミック材料を重ねて形成する発声部品を設置し、該発声部品には導線を溶接し、
該振動部品は板体で、該定位枠のステップ部の面積にほぼ等しく、
該スチール片を該定位枠の前縁に設置し、該振動部品を該定位枠のステップ部に嵌めて設置し、発声モジュールを構成し、ヘッドホンに組み立て、
該発声部品により音声信号を受信し、該振動部品が共鳴して音声を導出し、磁性がないヘッドホンを構成し、
該ヘッドホンは磁性がないため、ｉ−ｐａｄ(登録商標)、ｉ−ｐｈｏｎｅ(登録商標)、或いは携帯電話、ノートブック型コンピューターなどの製品に影響を及ぼすことがなく、しかもボイスコイルがないため、薄型化でき、携帯に有利である。
【考案の効果】
【０００５】
本考案の圧電セラミックスピーカーヘッドホン構造は、定位枠と振動部品を、定位枠に設置するスチール片に対応させて発声モジュールを構成し、これをヘッドホンに組み合わせることで、磁性がないヘッドホンを構成し、ヘッドホンは磁性がないため、ｉ−ｐａｄ(登録商標)、ｉ−ｐｈｏｎｅ(登録商標)、或いは携帯電話、ノートブック型コンピューターなど製品に影響を及ぼすことがなく、しかもボイスコイルがないため、薄型化でき、携帯に有利である。
【図面の簡単な説明】
【０００６】
【図１】本考案発声モジュールの立体分解図である。
【図２】本考案発声モジュールの断面図である。
【図３】本考案をヘッドホンに組み立てる第一実施例の模式図である。
【図４】本考案第二実施例の立体図である。
【図５】本考案第三実施例の立体図である。
【考案を実施するための形態】
【０００７】
以下に図面を参照しながら本考案を実施するための最良の形態について詳細に説明する。
【実施例】
【０００８】
本考案発声モジュールＡの立体分解図、断面図、ヘッドホンに組み立てる実施例の模式図である図１、２、３に示すように、本考案は、定位枠１、スチール片２、振動部品３を備える。定位枠１の後方内縁には、やや低くなったステップ部１１を設置する。スチール片２は、定位枠１の面積とほぼ等しく、複数層のセラミック材料を重ねて形成する発声部品２１を設置する。発声部品２１には、導線を溶接する。振動部品３は、板体で、定位枠１のステップ部１１とほぼ等しい面積である。
【０００９】
上記した構成部材により、スチール片２を、定位枠１の前縁に置き、振動部品３を、定位枠１のステップ部１１に嵌めて設置する。こうして、発声モジュールＡを構成する。本実施例では、２個の発声モジュールＡを、固定台３１に組み立て、固定台３１にイヤーパッド３２を設置する。こうして、固定台３１のヘッドバンド３３に対応して連接し、頭部に装着するヘッドホン１００を構成する。使用者がイヤーパッド３２を、耳に密着させると、スチール片２の発声部品２１は音声信号を受信し、振動部品３が共鳴して音声を導出する。こうして、磁性のないヘッドホン１００を実現し、磁性がないため、ｉ−ｐａｄ(登録商標)、ｉ−ｐｈｏｎｅ(登録商標)、或いは携帯電話、ノートブック型コンピューターなどの製品に影響を及ぼすことがなく、しかもボイスコイルがないため、薄型化して携帯の便を図ることができる。
【００１０】
本考案第二実施例の立体図である図４と、図３に合わせて示すように、本考案は、ヘッドホン１００のイヤーパッド３２の表面に、適当な間隔距離を開けて、複数の突柱３２１を設置することができる。これにより、使用時には、各突柱３２１が、耳の周縁において支え、こうして固定台３１に設置する発声モジュールＡは、耳との間に適当な間隔を形成することができ、より優れた音を発することができるようになる。
【００１１】
本考案第三実施例の立体図である図５と、図３に合わせて示すように、本考案は、発声モジュールＡを設置する固定台３１とイヤーパッド３２とを分離することができる。こうして、単独で机上に置けば、音声は、イヤーパッド３２から直接発せられ、小型のスピーカーのような効果を構成し、これによりもう一つの形態の応用を形成する。
【００１２】
本考案は従来のヘッドホンに比較し、以下のような長所がある。
１．薄型化が可能なため、応用範囲が広まり、しかも携帯に便利である。
２．スチール片２を定位枠１に設置して、これにより音を出すため、中音も高音も臨場感を失わず、オリジナルな音を再現する効果がより良好となる。
３.振動部品３は、音の損失を補償できるため、音響効果全体がより安定し、しかも振動部品３は、２００Ｈｚに達するほど、その低音導引効果は優れているため、低音が失われることはない。
【００１３】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００１４】
本考案は実用新案登録の要件である新規性を備え、従来の同類製品に比べ十分な進歩を有し、実用性が高く、社会のニーズに合致しており、産業上の利用価値は非常に大きい。
【符号の説明】
【００１５】
１  定位枠
１１  ステップ部
１００  ヘッドホン
２  スチール片
２１  発声部品
３  振動部品
３１  固定台
３２  イヤーパッド
３２１  突柱
３３  ヘッドバンド
Ａ  発声モジュール
【図１】
0003166424.tif 000003
【図２】
0003166424.tif 000004
【図３】
0003166424.tif 000005
【図４】
0003166424.tif 000006
【図５】
0003166424.tif 000007